(57)【特許請求の範囲】
【請求項１】
自機の識別情報を含むビーコン信号を無線送信する複数のビーコン発信器であって、隣接するビーコン発信器とビーコン信号の出力範囲が一部重なるように管理すべきエリアに分布して配置されるビーコン発信器と、
移動体に搭載される端末装置であって、ビーコン信号を受信する端末受信部と、受信された各ビーコン信号から識別情報を抽出する端末抽出部と、各ビーコン信号の受信信号強度を測定する端末測定部と、得られたビーコン信号の識別情報と受信信号強度を自機の識別情報に関連付けた端末信号を無線送信する端末送信部を有する端末装置と、
前記端末信号を受信する受信部と、受信された端末信号を解析し、受信された端末信号に含まれる端末装置の識別情報と、ビーコン発信器の識別情報及び受信信号強度に基づいて、端末装置の位置を特定する解析部を有する主装置と、
を含むことを特徴とする位置情報管理システム。
【請求項２】
端末信号には、端末装置を搭載する移動体の情報が含まれる請求項１に記載の位置情報管理システム。
【請求項３】
主装置は、端末装置を搭載する移動体の情報を有しており、該移動体の情報と端末装置の識別情報を関連付ける請求項１に記載の位置情報管理システム。
【請求項４】
移動体は車両である請求項１乃至請求項３の何れかに記載の位置情報管理システム。
【請求項５】
管理すべきエリアは駐車場である請求項４に記載の位置情報管理システム。
【請求項６】
車両の情報は、端末装置及び／又は主装置により、駐車場の出入りゲートで取得される請求項５に記載の位置情報管理システム。
【請求項７】
移動体はヒトである請求項１乃至請求項３の何れかに記載の位置情報管理システム。
【請求項８】
移動体は物品である請求項１乃至請求項３の何れかに記載の位置情報管理システム。
【発明の詳細な説明】
【技術分野】
【０００１】
本発明は、無線通信を利用して、車両等の移動体の位置情報を特定し、移動体に関連付けられた情報を取得することのできる位置情報管理システムに関するものである。
【背景技術】
【０００２】
スーパーマーケット、イベント会場、遊園地等の駐車場では、入出庫する車両の入出庫情報の管理が行なわれている。また、駐車場の混雑状況や、空き駐車スペースを管理したり、使用者に表示パネル等で告知する必要がある。
そこで、各駐車スペースに夫々センサを設置し、駐車スペースに車両が駐車されているか否かを検出して、表示等することのできる駐車場の管理システムが提案されている(例えば、特許文献１、特許文献２参照)。
【先行技術文献】
【特許文献】
【０００３】
【特許文献１】特開平０９−３５１９４号公報
【特許文献２】特開平０８−３０５９９８号公報
【発明の概要】
【発明が解決しようとする課題】
【０００４】
しかしながら、上記管理システムでは、駐車スペース毎にセンサ等を設置する必要があり、駐車場の規模が大きいほどセンサ等の数も増えてしまう。このため、個別に多数設置されたセンサ等を信号の無線送受信で管理することは極めて困難であり、各センサを有線接続せざるを得ない。従って、センサ等の設置やメンテナンスに多大な費用が必要となる。
【０００５】
さらに、このような駐車場管理システムでは、駐車スペースにおける車両の有無は検知できるが、各駐車スペースに駐められている車両の車種、ナンバー等の情報を特定することはできない。
【０００６】
また、例えば、自動車展示販売業等では、車両の展示スペースに明確な区画はないから、車両の有無をセンサ等で検知することができない。しかしながら、このような場合であっても、展示されている車両の情報とその車両の位置を的確に把握することのできるシステムへの要望がある。
【０００７】
本発明の目的は、無線通信を利用して、車両等の移動体の位置情報を特定し、移動体に関連付けられた情報を取得することのできる位置情報管理システムを提供することである。
【課題を解決するための手段】
【０００８】
上記課題を解決するために、本発明の位置情報管理システムは、
自機の識別情報を含むビーコン信号を無線送信する複数のビーコン発信器であって、隣接するビーコン発信器とビーコン信号の出力範囲が一部重なるように管理すべきエリアに分布して配置されるビーコン発信器と、
移動体に搭載される端末装置であって、ビーコン信号を受信する端末受信部と、受信された各ビーコン信号から識別情報を抽出する端末抽出部と、各ビーコン信号の受信信号強度を測定する端末測定部と、得られたビーコン信号の識別情報と受信信号強度を自機の識別情報に関連付けた端末信号を無線送信する端末送信部を有する端末装置と、
前記端末信号を受信する受信部と、受信された端末信号に含まれる端末装置の識別情報と、ビーコン発信器の識別情報及び受信信号強度に基づいて、端末装置の位置を特定する解析部を有する主装置と、
を含む。
【発明の効果】
【０００９】
本発明に係る位置情報管理システムによれば、管理すべきエリアに分布された複数のビーコン発信器のビーコン信号を端末装置で無線受信し、該端末装置は、各ビーコン信号の識別情報と受信信号強度を自機の識別情報に関連付けた端末信号として無線送信する。
主装置は、受信された端末信号を解析することにより、端末装置の位置を特定する。
より具体的には、端末装置の識別情報によって端末装置を特定し、該端末装置が受信したビーコン信号の識別情報と受信信号強度から位置を特定することができる。
【００１０】
本発明は、ビーコン発信器と端末装置、端末装置と主装置との信号の送受信を無線で行なっているから、有線接続された機器の設置を可及的に少なくでき、設置費用やメンテナンス費用を抑制することができる。
【００１１】
また、移動体の情報を予め端末装置及び／又は主装置で取得して登録しておくことで、どの移動体がどの位置にいるかを的確に把握することができる。
【００１２】
本発明によれば、ビーコン発信器を駐車場等に分布して配置し、駐車場に入出庫する車両の端末装置を搭載することで、駐車場内における車両の位置情報を無線により主装置で取得することができる。また、車両に関する情報を予め取得しておくことで、車両の入庫時間、駐車場所、出庫時間等を管理することもできる。
【図面の簡単な説明】
【００１３】
【図１】図１は、本発明の一実施形態である位置情報管理システムを配置した駐車場の平面図である。
【図２】図２は、位置情報管理システムのブロック図である。
【図３】図３は、ビーコン発信器から発信されるビーコン信号の出力範囲を示す説明図であって、(ａ)は出力が大きい場合、(ｂ)は出力が小さい場合を示している。
【図４】図４は、本発明の位置情報管理システムを駐車場内の車両の位置検知に適用したフローチャート図である。
【図５】図５は、車両に搭載された端末装置から送信される端末信号の一例を示している。
【図６】図６は、複数の端末装置からの端末信号を受信した主装置の表示画面の一例を示している。
【図７】図７は、駐車場の地図に所望する車両の位置を表示した表示画面の一例を示している。
【図８】図８は、エンジン始動時のフローチャート図である。
【図９】図９は、駐車場へ入る車両を検知する位置情報管理システムのブロック図である。
【図１０】図１０は、図９のフローチャート図である。
【図１１】図１１は、駐車場から出る車両を検知する位置情報管理システムのブロック図である。
【図１２】図１２は、図１１のフローチャート図である。
【図１３】図１３は、迷子捜しに本発明の位置情報管理システムを配置した施設の平面図である。
【図１４】図１４は、迷子捜しのフローチャート図である。
【図１５】図１５は、ヒトの携帯している端末装置から送信される端末信号の一例を示している。
【図１６】図１６は、端末装置からの端末信号を受信した主装置の表示画面の一例を示している。
【図１７】図１７は、施設の地図に迷子の位置を表示した表示画面の一例を示している。
【図１８】図１８は、居住者の在室管理に本発明の位置情報管理システムを配置した建物の平面図である。
【図１９】図１９は、居住者の携帯している端末装置から送信される端末信号の一例を示している。
【図２０】図２０は、端末装置からの端末信号を受信した主装置の表示画面の一例を示している。
【図２１】図２１は、建物の地図に居住者の位置を表示した表示画面の一例を示している。
【図２２】図２２は、荷物の位置特定に本発明の位置情報管理システムを配置した物流倉庫の平面図である。
【図２３】図２３は、荷物の位置特定のフローチャート図である。
【図２４】図２４は、荷物に搭載された端末装置から送信される端末信号の一例を示している。
【図２５】図２５は、端末装置からの端末信号を受信した主装置の表示画面の一例を示している。
【図２６】図２６は、物流倉庫の地図に荷物の位置を表示した表示画面の一例を示している。
【発明を実施するための形態】
【００１４】
以下、本発明の位置情報管理システム(10)を駐車場における車両の位置の特定に適用した実施例について説明する。
【００１５】
図１は、本発明の位置情報管理システム(10)を適用した駐車場(81)、図２は、位置情報管理システム(10)のブロック図である。
図に示すように、位置情報管理システム(10)は、駐車場(81)に分布して設置された複数のビーコン発信器(20)と、車両(72)に搭載されてビーコン発信器(20)からのビーコン信号を無線受信する端末装置(30)と、端末装置(30)からの端末信号を無線受信して解析する主装置(40)を含んでいる。
【００１６】
＜ビーコン発信器(20)＞
ビーコン発信器(20)は、自機の識別情報を含むビーコン信号を無線発信する。ビーコン信号を受信する端末装置(30)の構成を簡略化するために、各ビーコン発信器(20)から発信されるビーコン信号は、同じ周波数となるように設定することが望ましく、この場合、各ビーコン発信器(20)のビーコン信号の発信タイミングが重ならないように設定する。例えば、ビーコン発信器(20)は、ビーコン信号の同時送信を回避するために夫々送信前に他のビーコン発信器(20)をモニタすればよい。
【００１７】
ビーコン発信器(20)は、管理すべきエリアである駐車場(81)の全体に何れかのビーコン発信器(20)のビーコン信号が到達可能且つ隣接して配置されるビーコン発信器(20)のビーコン信号の出力範囲が一部重なるように駐車場(81)に分布して配置する。
【００１８】
ビーコン発信器(20)は、商用電源から有線により電源の供給を受けることもできるが、バッテリを内蔵することで有線接続を不要とでき、駐車場(81)に埋設等することで設置することができる。
【００１９】
図３は、格子状に配置されたビーコン発信器(20)から無線発信されるビーコン信号の出力範囲を示している。図３(ａ)及び図３(ｂ)に示すように、ビーコン発信器(20)から互いに等しい送信出力で同じ周波数のビーコン信号を発信した場合、各ビーコン信号の到達範囲は、各ビーコン発信器(20)を中心とする円形の範囲となり、図３(ａ)中、αで示す領域には１つのビーコン発信器(20)(ビーコンＡ)からのビーコン信号のみが受信される。また、βで示す領域には２つのビーコン発信器(20)(ビーコンＡ及びＢ)、γで示す領域には３つのビーコン発信器(20)(ビーコンＡ、Ｂ及びＤ)、δで示す領域には４つのビーコン発信器(20)(ビーコンＡ、Ｂ、Ｄ及びＥ)のビーコン信号が受信される。
【００２０】
図３(ａ)に示すように、ビーコン発信器(20)の送信出力を大きくすることでビーコン信号の到達範囲は広くなるから、所定のエリアに対するビーコン発信器(20)の設置台数を少なくすることができる。一方、位置検知の精度は低下する。
図３(ｂ)に示すように、ビーコン発信器(20)の送信出力を小さくすることでビーコン信号の到達範囲は狭くなるため、ビーコン発信器(20)の設置台数は多くなるが、位置検知の精度を高めることができる。
これらは、設置されるエリアの面積、要求される位置検知の精度等に応じて適宜決定することができる。
【００２１】
なお、駐車場(81)に設置されるビーコン発信器(20)の個々の設置する際に、ビーコン発信器(20)の設置位置と対応する識別情報は、予め主装置(40)に記憶させておく。また、各ビーコン信号の受信信号強度を予め種々のポイントで測定しておき、後述する主装置(40)に記憶させておく。
【００２２】
＜端末装置(30)＞
端末装置(30)は、管理されるエリア内の移動体(70)(図１では車両(72))に搭載される。端末装置(30)は、各ビーコン発信器(20)から発信されるビーコン信号を無線受信し、受信されたビーコン信号に含まれる識別情報と、その受信信号強度を、自機の識別情報と関連付けて無線送信する。
【００２３】
より具体的には、端末装置(30)は、図２に示すように、ビーコン信号を受信する端末受信部(32)、受信されたビーコン信号の発信元となるビーコン発信器(20)の識別情報を抽出する端末抽出部(34)、受信されたビーコン信号の受信信号強度を測定する端末測定部(36)を含む。受信信号強度は、ＲＳＳＩ値やｄＢｍとして測定することができる。
得られたビーコン発信器(20)の識別情報とその受信信号強度は、端末装置(30)の識別情報と関連付けられた端末信号として、端末送信部(38)から無線送信される。
【００２４】
なお、端末装置(30)には、予め又は車両(72)が駐車場(81)に入庫したときに、車両(72)に関連する情報、例えば、ナンバー(車両番号)、メーカー、車種、グレード、車色等を登録しておき、端末信号に含めて送信することもできる(図５参照)。
【００２５】
端末装置(30)は、ビーコン信号の受信タイミング、受信時間を適宜設定することができる。
例えば、移動体(70)が車両(72)の場合、受信タイミングは、車両(72)が駐車スペースで停止したとき、即ち、エンジン停止をトリガーとすることができる。エンジン停止は車両(72)の電源系から取得したり、端末装置(30)に振動センサを搭載して、エンジン停止を検知することで判別することができる。
【００２６】
受信時間は、ビーコン発信器(20)のビーコン信号の発信間隔に基づいて決定することができる。例えば、ビーコン発信器(20)のビーコン信号の発信間隔が１０秒であれば、端末装置(30)の受信時間は１０秒以上に設定すればよく、受信時間をビーコン信号の発信間隔に比して長く設定し(例えば５分)、複数回同じビーコン信号を受信して、その中で最も大きい受信信号強度を端末信号に含めたり、測定された受信信号強度の平均を算出して端末信号に含めることもできる。
【００２７】
端末装置(30)からの端末信号は、上記受信時間が終了し、端末信号が送信可能となったときを送信タイミングとすることができる。また、端末信号を送信する前に、予め後述する主装置(40)に対して接続要求確認の信号を送信し、主装置(40)から接続要求確認に対する返信を受けて、双方向の送受信が成立した状態で端末信号を送信するようにしてもよい。
【００２８】
なお、端末装置(30)は移動体(70)から電源の供給を受ける構成とすることもできるが、電圧等の影響を受ける可能性があるから、バッテリにより駆動する構成とすることが望ましい。また、端末装置(30)の電力消費を抑えるために、主装置(40)に端末信号を送信した後、電源をオフ又はスリープ状態となるように構成することが望ましい。
【００２９】
＜主装置(40)＞
主装置(40)は、端末装置(30)から無線送信される端末信号を無線受信して、端末装置(30)を搭載する移動体(70)の位置等の情報を特定して管理する装置である。
主装置(40)は、ＰＣやサーバ等をメインに構成することができる。より具体的には、図１及び図２に示すように、主装置(40)は、ＰＣ(サーバ)(41)に送受信部(42)と表示部(50)等を接続して構成することができる。
【００３０】
送受信部(42)は、端末装置(30)と信号を受信する受信部と、端末装置(30)へ信号を送信する送信部を含む装置であり、管理すべきエリア内の何れの位置からでも端末装置(30)と信号の送受信が可能となるように１又は複数配置される。図１の実施例では、送受信部(42)は１基のみであるが、駐車場(81)が広い場合等には駐車場(81)の各コーナー又は所定間隔毎に送受信部(42)を設置することが望ましい。
【００３１】
ＰＣ(サーバ)(41)は、送受信部(42)にて受信した端末信号を解析して、端末装置(30)の位置を特定する解析部(43)と、ＰＣ(サーバ)(41)を制御する制御部(44)を有する。
【００３２】
また、制御部(44)には、管理すべきエリアに設置された各ビーコン発信器(20)の識別情報とその位置、管理すべきエリア内の各位置におけるビーコン発信器(20)のビーコン信号の受信信号強度、端末装置(30)の識別情報、端末装置(30)が搭載されている移動体(70)に関する種々の情報、その他制御等に必要な情報を記憶する記憶部(45)が接続されている。例えば、エリア内の各位置におけるビーコン発信器(20)のビーコン信号の受信信号強度はマップ化して記憶することができる。以下、ビーコン信号の受信信号強度のマップを受信信号強度マップと称する。
記憶部(45)は、メモリやハードディスクを例示でき、外部記憶媒体や外部記憶装置等としてもよい。
【００３３】
解析部(43)は、端末装置(30)から受信した端末信号を解析して、端末装置(30)の位置を特定する。より具体的には、解析部(43)は、端末信号に含まれる端末装置(30)の識別情報、端末装置(30)の受信した各ビーコン発信器(20)の識別情報とその受信信号強度を解析し、例えば記憶部(45)に記憶されている受信信号強度マップと照合することで、端末装置(30)とその位置を特定する。
【００３４】
解析部(43)にて特定された端末装置(30)とその位置に関する情報は、必要に応じて移動体(70)に関する情報等と関連付けられて、ＰＣ(サーバ)(41)に接続された表示部(50)に視覚的に表示することができる。後述する図６は端末装置(30)及び移動体(70)の情報をテーブル化して表示したものであり、図７は、表示部(50)への表示例である。
【００３５】
また、解析部(43)にて特定された端末装置(30)とその位置に関する情報は、必要に応じて移動体(70)に関する情報等と関連付けられて、ルータ(60)等を介して、携帯電話機等の携帯端末(64)を含む外部端末に公衆ネットワーク(62)を介して送信することもできる。
【００３６】
主装置(40)には、さらに、移動体(70)に関する情報を取得又は入力するためのカメラや操作手段等の外部入力部(48)を接続することができる。例えば、車両(72)の場合、駐車場(81)のゲート(83)等にカメラを配備し、ゲート(83)を通過する車両(72)のナンバー(車両番号)、メーカー、車種、グレード、車色などを撮像して、これらデータを車両(72)に関する情報として取得できる。もちろん、取得する情報はこれらに限定されるものではない。
【００３７】
取得された移動体(70)に関する情報は、記憶部(45)に記憶されて、移動体(70)に搭載される端末装置(30)の識別情報と関連付けることができる。なお、取得された移動体(70)に関する情報を端末装置(30)に無線送信してもよい。
【００３８】
上記ビーコン発信器(20)、端末装置(30)、主装置(40)を含む位置情報管理システム(10)によれば、管理されるエリア内の端末装置(30)、具体的には端末装置(30)を搭載した移動体(70)の位置を特定することができる。
【００３９】
以下、上記位置情報管理システム(10)の具体的な動作及び制御の流れを説明する。
図４は、本発明の位置情報管理システム(10)のフローチャート図を示している。ステップ１乃至ステップ３は、駐車場(81)に設置された各ビーコン発信器(20)からのビーコン信号の発信フローを示している。ビーコン発信器(20)は、ビーコン信号を発信する前に、予め他のビーコン発信器(20)との電波干渉を避けるため、ビーコン信号の送信に利用する周波数帯域の干渉信号を受信し(ステップ１)、電波干渉がなければ(ステップ２のＹｅｓ)、自機の識別情報を含むビーコン信号を発信する(ステップ３)。
【００４０】
各ビーコン発信器(20)からのビーコン信号は、２４時間又は駐車場(81)の営業時間中、所定時間毎に発信される。
【００４１】
移動体(70)である車両(72)は端末装置(30)を搭載し、該端末装置(30)にてビーコン信号を受信する。
端末装置(30)のビーコン信号の受信タイミングは、例えば、車両(72)が駐車スペースに駐められたとき、即ち、車両(72)のエンジンが停止したとき(ステップ１１及びステップ１２)とすることができる。車両(72)のエンジンの停止は、端末装置(30)に振動センサ(図示せず)を搭載して、振動センサの検知結果に基づいて判断することができる。
【００４２】
端末装置(30)は、上記のようにエンジンの停止をトリガーとして端末受信部(32)を作動させて、ビーコン信号を受信する(ステップ１３)。受信されたビーコン信号は、端末抽出部(34)にてビーコン信号の発信元であるビーコン発信器(20)の識別情報が抽出されると共に、端末測定部(36)にて受信されたビーコン信号の受信信号強度が測定される(ステップ１４)。ビーコン信号の受信と、識別情報の抽出、受信信号強度の測定は所定時間行なわれ、図５に示すようなテーブルデータとして記憶することができる。
【００４３】
図５は、上記端末信号のテーブルデータであり、車両(72)に搭載された端末装置(30)の識別情報と、車両情報(後述する)、ビーコン発信器(20)の識別情報と受信信号強度を含んでいる。
【００４４】
所定時間経過後、端末装置(30)は、端末送信部(38)から前記テーブルデータに自機の識別情報を関連付けて、端末信号として送信する(ステップ１５)。
【００４５】
なお、端末信号が上手く主装置(40)にて受信されたかどうかを判定するために、主装置(40)が当該端末信号を受信した場合にＡＣＫ信号を送信するようにすればよい(ステップ１６及びステップ２３)。なお、この場合、端末装置(30)がＡＣＫ信号を受信するまで、端末信号の送信を続けるようにすればよい。
また、送信が完了又は送信完了後所定時間経過すると、端末装置(30)のバッテリの消耗を防ぐためにスリープ状態又は電源オフの状態となるようにすることができる。
【００４６】
主装置(40)は、送受信部(42)にて端末装置(30)から端末信号を受信すると、ＰＣ(サーバ)(41)の制御部(44)に端末信号を送信する(ステップ２２)。上記のように端末装置(30)側にＡＣＫ信号を送信するよう設定している場合には、端末装置(30)へＡＣＫ信号を送信する(ステップ２３)。
【００４７】
制御部(44)は、送受信部(42)から端末信号を受信すると、受信された端末信号に含まれる端末装置(30)の識別情報、各ビーコン発信器(20)の識別情報とその受信信号強度を解析し(図６参照)、予め記憶部(45)に記憶されている受信信号強度マップと照合して、端末装置(30)とその位置を特定する(ステップ２５)。
【００４８】
より具体的には、図１に示す如く設置されたビーコン発信器(20)からのビーコン信号について、図６に示すように、端末装置(30)は、４つのビーコン信号を受信しているから、これら４つのビーコン信号を受信可能な位置に端末装置(30)を搭載した車両(72)が位置していることがわかる(図３のδ参照)。さらに詳細に解析すると、ビーコン１のＲＳＳＩ値(受信信号強度)が−４３、ビーコン２のＲＳＳＩ値が−７３、ビーコン３のＲＳＳＩ値が−５４、ビーコン４のＲＳＳＩ値が−８４であるから、端末装置(30)とビーコン発信器(20)の位置関係について、端末装置(30)は、ビーコン信号のＲＳＳＩ値が大きいビーコン１に最も近い位置にあり、順にビーコン３、ビーコン４、ビーコン２に近いことがわかる。これらの数値から、端末装置(30)を搭載した車両(72)は、図１に位置にあることが特定できる。
【００４９】
上記により、どの端末装置(30)を搭載した車両(72)が駐車場(81)のどの位置に駐められているかの位置情報を取得できる。
【００５０】
得られた位置情報は、図７に示すように、表示部(50)にて視覚的に判断しやすいように駐車場(81)の地図(82)上に表示することができる(ステップ２６)。
【００５１】
また、ルータ(60)を介して公衆ネットワーク(62)に接続し(ステップ２７)、携帯端末(64)等に車両(72)の位置情報を送信するようにしてもよい(ステップ２８)。
【００５２】
上記にて説明した位置情報管理システム(10)により、駐車場(81)に分布して設置されたビーコン発信器(20)のビーコン信号から、端末装置(30)の位置を特定することができる。
【００５３】
なお、端末装置(30)に温度センサ、振動検知センサ、モーションセンサ、人感センサ等を配置し、車両(72)が駐車スペースに駐められた状態、即ち、エンジンが停止した状態で、これらセンサが異常を検知すると、端末装置(30)から自機の識別情報と共に異変の発生を主装置(40)に無線送信することもできる。異変の生じている車両(72)の位置は、上記により特定されているから、異変の生じている車両(72)を容易に発見することができる。
【００５４】
フローチャート図８に示すように、駐車場(81)から出庫のために車両(72)のエンジンを作動させると(ステップ１１’及びステップ１２’)、端末装置(30)は起動を開始し、フローチャート図４と同様の要領にてビーコン信号を受信し(ステップ１３)、端末信号を主装置(40)に送信し(ステップ１５)、主装置(40)にて位置情報を特定する(ステップ２１〜ステップ２５)。
なお、エンジン作動後、すぐに車両(72)が移動する可能性が高いから、ビーコン信号の受信(ステップステップ１３)は、初回のビーコン信号のみを受信すると、即時に主装置(40)へ端末信号を送信するようにすることが望ましい。
【００５５】
端末装置(30)は、端末信号を送信した後、スリープ状態又は電源オフとはせずに、起動しておくことが望ましい。なお、この後の制御の流れは、図１１及びフローチャート図１２を用いて後述する。
【００５６】
移動体(70)である車両(72)の情報(図６及び図７参照)は、移動体(70)である車両(72)が駐車場(81)に入庫したときに、カメラや手入力等で主装置(40)及び／又は端末装置(30)により取得することができる。車両情報を主装置(40)又は端末装置(30)で取得した後、無線通信を用いて、他方の装置へ送信することで両者が夫々車両情報を有するようにしてもよい。
取得される車両(72)の情報として、ナンバー(車両番号)、メーカー、車種、グレード、車色を例示できるが、これに限定されるものではない。
【００５７】
図９及び図１１は、駐車場(81)のゲート(83)にビーコン発信器(22)(24)を設置し、駐車場(81)に入出庫する車両(72)を端末装置(30)にて検知し、管理等することのできるシステムの例である。
図９及び図１１に示すように、ゲート(83)には２基のビーコン発信器(22)(24)、具体的にはビーコンＡとビーコンＢを設置している。ゲート(83)の駐車場(81)側のビーコンＡと駐車場(81)の外側のビーコンＢは、ゲート(83)を通過する車両(72)の進行方向に向けて略垂直な向きに自機の識別情報を含むビーコン信号を異なるタイミングで所定時間毎に発信する。
なお、発信されるビーコン信号は、誤検知を防止するために、指向性の信号とすることが望ましい。
【００５８】
車両(72)には、ゲート(83)を通過する前に予め端末装置(30)を搭載し、ビーコン信号を受信できる状態としておく。
図９に示すように車両(72)がゲート(83)に侵入すると、フローチャート図１０に示すように、端末装置(30)は、まずビーコンＢの前を通過するから、ビーコンＢのビーコン信号を受信する(ステップ４及びステップ４’)。さらに車両(72)が進行すると、ビーコンＡの前を通過して、ビーコンＡのビーコン信号を受信する(ステップ５及びステップ５’)。
即ち、ビーコンＢのビーコン信号の後、ビーコンＡのビーコン信号を受信した場合には端末装置(30)を搭載した車両(72)が駐車場(81)に入庫したことが判別できる。
【００５９】
端末装置(30)は、上記の順でビーコン信号を受信した場合には(ステップ１３’)、ビーコン発信器(22)(24)の識別情報に自機の識別情報を関連付けて入庫データを端末信号として無線発信する(ステップ１５”)。
【００６０】
主装置(40)は、入庫データを含む端末信号を受信すると(ステップ２１及びステップ２２)、端末装置(30)の端末信号を解析して(ステップ２４)、端末装置(30)を特定し(ステップ２５)、当該端末装置(30)を搭載した車両(72)が駐車場(81)に入庫したことを表示やネットワーク送信する(ステップ２６乃至ステップ２８)。
【００６１】
なお、端末装置(30)は、送信する端末信号に入庫時刻の情報を含めることができる。また、主装置(40)は、端末信号の受信時刻を管理情報に含めることもできる。
【００６２】
さらに、上記した車両情報は、入庫の際、即ちゲート(83)を通過するときに同時に取得するようにして、取得された車両情報を端末装置(30)の識別情報に関連付けて管理等することもできる。
【００６３】
ゲート(83)を通過して入庫した車両(72)は、搭載された端末装置(30)が前述のフローチャート図４に従って制御され、主装置(40)により駐車位置を特定することができる。
【００６４】
車両(72)が駐車場(81)から出庫する場合には、前述したフローチャート図８の後、図１１及びフローチャート図１２に示すように、入庫とは逆の手順で、車両(72)はまずビーコンＡの前を通過し、続いてビーコンＢの前を通過する。
車両(72)に搭載された端末装置(30)は、フローチャート図８で説明したように、エンジンを作動させることで電源がオン又はスリープ状態が解除され、ビーコン信号が受信できる状態となっている。
【００６５】
この状態で、出庫のために、図１１に示すように車両(72)がゲート(83)に近づくと、フローチャート図１２に示すように、端末装置(30)は、まずビーコンＡの前を通過するから、ビーコンＡのビーコン信号を受信する(ステップ６及びステップ６’)。さらに車両(72)が進行すると、ビーコンＢの前を通過して、ビーコンＢのビーコン信号を受信する(ステップ７及びステップ７’)。
即ち、ビーコンＡのビーコン信号の後、ビーコンＢのビーコン信号を受信した場合には端末装置(30)を搭載した車両(72)が駐車場(81)から出庫したことが判別できる。
【００６６】
端末装置(30)は、上記の順でビーコン信号を受信した場合には(ステップ１３”)、ビーコン発信器(22)(24)の識別情報に自機の識別情報を関連付けて出庫データとして端末信号を無線発信する(ステップ１５”)。
【００６７】
主装置(40)は、端末信号を受信すると(ステップ２１)、端末装置(30)の端末信号を解析して、端末装置(30)を特定し(ステップステップ２４)、当該端末装置(30)を搭載した車両(72)が駐車場(81)から出庫したこと(ステップ２５”)を表示やネットワーク送信する(ステップ２６乃至ステップ２８)。
【００６８】
端末装置(30)は、送信する端末信号に出庫時刻の情報を含めることができる。また、主装置(40)は、端末信号の受信時刻を管理情報に含めることもできる。
【００６９】
なお、端末装置(30)は、ゲート(83)の外で回収し、端末装置(30)に記憶されていた車両情報等の情報をリセットすることが望ましい。
【００７０】
上記により、車両(72)が入庫し、駐車した後、出庫するまでの位置情報等の情報を管理することができ、これら情報は、駐車場(81)の運営等に活用することができる。
【００７１】
上記実施例では、移動体(70)として車両(72)を例示しているが、移動体(70)は車両(72)に限定されず、ヒトや物等とすることができることは勿論である。
例えば、本発明の位置情報管理システム(10)は、遊園地やデパート等の施設(85)における迷子捜し(図１３乃至図１７)、マンション(86)等の建物内の居住者(76)の位置特定(図１８乃至図２１)、物流倉庫(89)等における荷物(78)の位置特定(図２２乃至図２６)にも適用できる。
【００７２】
図１３乃至図１７は、遊園地やデパート等の施設における迷子捜しをアシストするシステムを示している。なお、車両(72)の位置情報管理システム(10)と重複する部分については適宜説明を省略する(他の実施例についても同じ)。
【００７３】
図１３に示すように、管理すべきエリア(80)となる遊園地やデパート等の施設(86)に複数のビーコン発信器(20)を設置しておき、端末装置(30)は予め当該施設(86)に入る子ども(74)等が携帯しておく。
フローチャート図１４に示すように、ビーコン信号を受信した端末装置(30)は、図１５に示すような端末信号を送信し、主装置(40)にて子ども(74)の位置を特定することができる(図１６及び図１７)。
なお、端末装置(30)は、ビーコン信号を子ども(74)に携帯させた状態で常に受信してリアルタイムで主装置(40)に送信することもできるし、保護者等の問い合わせがあったときに、主装置(40)から端末装置(30)へビーコン信号を受信して端末信号を送信するよう命令する信号を送信してもよい。
【００７４】
上記により、子ども(74)の位置を特定でき、迷子捜しを容易に行なうことができる。
【００７５】
また、図１８は、管理すべきエリア(80)をマンション(86)等として、居住者(76)等の在室管理を行なうシステムを示している。
ビーコン発信器(20)は、各部屋(87)、廊下(88)等に複数設置され、居住者(76)等が端末装置(30)を所持しておく。
【００７６】
これにより、前述のフローチャート図１４と同様に、ビーコン信号を受信した端末装置(30)は、図１９に示すような端末信号を送信して、主装置(40)にて居住者(76)等の位置を特定することができる(図２０及び図２１)。
なお、端末装置(30)は、ビーコン信号を居住者(76)等に所持させた状態で常に受信してリアルタイムで主装置(40)に送信することもできるし、必要に応じて、主装置(40)から端末装置(30)へビーコン信号を受信して端末信号を送信するよう命令する信号を送信してもよい。
【００７７】
上記により、居住者(76)等の在室管理を行なうことができる。
【００７８】
図２２に示すように、管理すべきエリア(80)となる物流倉庫(89)等に複数のビーコン発信器(20)を設置しておき、端末装置(30)は予め物流倉庫(89)等で搬送等される荷物(78)に取り付けておく。
フローチャート図２３に示すように、ビーコン信号を受信した端末装置(30)は、図２４に示すような端末信号を送信し、主装置(40)にて荷物(78)の位置を特定することができる(図２５及び図２６)。
なお、端末装置(30)は、ビーコン信号を荷物(78)に取り付けた状態で常に受信してリアルタイムで主装置(40)に送信することもできるし、必要に応じて主装置(40)から端末装置(30)へビーコン信号を受信して端末信号を送信するよう命令する信号を送信してもよい。
【００７９】
上記により、荷物(78)の位置を特定でき、物流管理に役立てることができる。
【００８０】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【産業上の利用可能性】
【００８１】
本発明は、管理すべきエリア内の移動体の位置を特定することのできるシステムとして有用である。
【符号の説明】
【００８２】
(10)  位置情報管理システム
(20)  ビーコン発信器
(30)  端末装置
(40)  主装置
(70)  移動体
(72)  車両
(80)  エリア
(81)  駐車場
【図１】
0005396442.tif 000002
【図２】
0005396442.tif 000003
【図３】
0005396442.tif 000004
【図４】
0005396442.tif 000005
【図５】
0005396442.tif 000006
【図６】
0005396442.tif 000007
【図７】
0005396442.tif 000008
【図８】
0005396442.tif 000009
【図９】
0005396442.tif 000010
【図１０】
0005396442.tif 000011
【図１１】
0005396442.tif 000012
【図１２】
0005396442.tif 000013
【図１３】
0005396442.tif 000014
【図１４】
0005396442.tif 000015
【図１５】
0005396442.tif 000016
【図１６】
0005396442.tif 000017
【図１７】
0005396442.tif 000018
【図１８】
0005396442.tif 000019
【図１９】
0005396442.tif 000020
【図２０】
0005396442.tif 000021
【図２１】
0005396442.tif 000022
【図２２】
0005396442.tif 000023
【図２３】
0005396442.tif 000024
【図２４】
0005396442.tif 000025
【図２５】
0005396442.tif 000026
【図２６】
0005396442.tif 000027